(57)【要約】【課題】液晶パネルのバックライトユニットに用いられるコネクタであって、汎用性の高いコネクタを提供すること。【解決手段】端子３００に第１接点部３３２及び第２接点部３４２の２つの接点部を設ける。第１接点部３３２と第２接点部３４２は、基板に形成された接続部と接続する基板用接続部である。第１接点部３３２と第２接点部３４２のＺ方向における位置は互いに異なっている。即ち、第１接点部３３２と第２接点部３４２のランプ用接続部３１０からの距離は互いに異なっている。これにより、基板高さの異なる２種類の基板に対して一つのコネクタで対応することができる。【選択図】図３
2010034028.tif 000002
【特許請求の範囲】
【請求項１】
ランプ接続部を有し第１方向に延びるランプを保持するコネクタであって、
ハウジングと、
前記ランプ接続部と接続するランプ用接続部、前記第１方向に直交する第２方向に沿って該ハウジングに圧入される被圧入部、前記第２方向において該被圧入部を挟んで前記ランプ用接続部の反対側に設けられた第１接点部及び第２接点部であって前記第２方向において互いに異なる位置に位置している第１接点部及び第２接点部を有する端子と
を備えるコネクタ。
【請求項２】
請求項１記載のコネクタにおいて、
前記第１接点部及び前記第２接点部は、基板に形成された接続部と選択的に接続する基板用接続部であり、
前記ハウジングは、前記第１接点部又は前記第２接点部と前記基板の前記接続部との選択的接続に際して前記基板の前記接続部をガイドするガイド部を有している
コネクタ。
【請求項３】
請求項２記載のコネクタにおいて、
前記ガイド部は、前記第１方向に沿って前記基板の前記接続部を挿入可能な挿入部であって、前記第１接点部と前記第２接点部に対して夫々独立して設けられた挿入部である
コネクタ。
【請求項４】
請求項１乃至請求項３のいずれかに記載のコネクタにおいて、
前記端子は、前記被圧入部から互いに別々に延びる第１バネ部及び第２バネ部を備えており、
前記第１接点部及び前記第２接点部は、夫々、前記第１バネ部及び前記第２バネ部に設けられている
コネクタ。
【請求項５】
請求項１乃至請求項３のいずれかに記載のコネクタにおいて、
前記端子は、前記被圧入部から延びる共通バネ部と２つの接触バネ部とを備えており、
前記共通バネ部は、前記第１方向及び前記第２方向の双方に直交する第３方向から見た場合に、略Ｖ字又は略Ｌ字形状を有しており、
前記接触バネ部は、該共通バネ部の先端から別々に延びており、
前記第１接点部及び前記第２接点部は、前記接触バネ部に設けられている
コネクタ。
【請求項６】
請求項５記載のコネクタにおいて、
前記接触バネ部は、前記第３方向から見た場合に、略Ｃ字形状を有している
コネクタ。
【請求項７】
請求項１乃至請求項６のいずれかに記載のコネクタにおいて、
前記ランプ用接続部は、前記第１方向及び前記第２方向の双方に直交する第３方向において前記ランプ接続部を挟持する弾性片にて構成されており、前記ランプを保持し得るものである
コネクタ。
【請求項８】
請求項７記載のコネクタにおいて、
前記ランプ用接続部は、前記ランプ接続部に対して少なくとも３点で接している
コネクタ。
【請求項９】
請求項７又は請求項８記載のコネクタにおいて、
前記ハウジングは、前記ランプ用接続部を収容するランプ用接続部収容部と、前記第３方向に沿って該ランプ用接続部収容部内に向かって突出してなる誤挿入防止部とを備えている
コネクタ。
【請求項１０】
請求項９記載のコネクタにおいて、
前記誤挿入防止部は、前記第３方向に突出した突条であって、前記第１方向においては前記ランプ用接続部と異なる位置に位置している
コネクタ。
【請求項１１】
請求項１０記載のコネクタにおいて、
前記誤挿入防止部は、前記第２方向において、前記ランプ用接続部と同じ位置又は前記ランプ用接続部の外側に位置しており、
前記第３方向における前記誤挿入防止部と前記ランプ用接続部の先端との距離は、前記ランプの半径よりも小さい
コネクタ。
【請求項１２】
請求項７乃至請求項１１のいずれかに記載のコネクタにおいて、
前記端子は、前記被圧入部から延びる主部と、該主部の前記第３方向における両端から前記第１方向に延びる腕部とを更に備えており、
前記ランプ用接続部は、前記第３方向に沿って見た場合に前記腕部と共に略Ｌ字形状を構成するように、前記腕部の端部から延びており、
前記腕部の前記第１方向における先端の隅部は、Ｒ形状を有している
コネクタ。
【請求項１３】
請求項１２記載のコネクタにおいて、
前記腕部のうち前記ランプ用接続部の起点となる部分の前記主部よりの部位にはＲ状凹部が形成されている
コネクタ。
【請求項１４】
請求項１乃至請求項１３のいずれかに記載のコネクタにおいて、
前記被圧入部の隅部は、Ｒ形状を有している
コネクタ。
【請求項１５】
請求項１乃至請求項１４のいずれかに記載のコネクタにおいて、
当該コネクタは、板金に形成された開口部に対して前記第２方向に沿って挿入されることにより、前記板金に保持されて用いられるものであり、
前記ハウジングには、前記コネクタが前記板金から抜けることを防止する弾性部が設けられている
コネクタ。
【請求項１６】
請求項１５記載のコネクタにおいて、
当該コネクタが前記板金に保持された状態において、前記ランプ用接続部と前記第１接点部及び前記第２接点部とは、前記第２方向において前記板金を挟んで位置しており、
前記弾性部は、前記板金に挿入された状態において、前記板金の前記ランプ用接続部側ではなく前記第１接点部及び前記第２接点部側にのみ位置している
コネクタ。
【請求項１７】
請求項１６記載のコネクタにおいて、
前記弾性部は、前記第１方向及び前記第２方向の双方に直交する第３方向に撓むことのできるように、前記ハウジングの前記第２方向の端部から延びている
コネクタ。
【請求項１８】
請求項１６記載のコネクタにおいて、
前記弾性部は、前記第１方向及び前記第２方向の双方に直交する第３方向に撓むことのできるように、前記第１方向に沿って延びている
コネクタ。
【請求項１９】
請求項１乃至請求項１８のいずれかに記載のコネクタと、
前記ランプ用接続部に接続される前記ランプ接続部を有するランプと、
前記第１接点部又は前記第２接点部のいずれかと接続される部位を有する基板と
を備えるバックライト組立体。
【発明の詳細な説明】
【技術分野】
【０００１】
本発明は、液晶パネルのバックライトユニットにおいて蛍光管（蛍光ランプ）やＣＣＦＬ（Cold Cathode Fluorescent Lamp）を基板に接続するためのコネクタに関する。
【背景技術】
【０００２】
この種のコネクタとしては、例えば、特許文献１や特許文献２に開示されたものが知られている。
【先行技術文献】
【特許文献】
【０００３】
【特許文献１】特開２００７−２５７８８１号公報
【特許文献２】特開２００７−３１７５４５号公報
【発明の概要】
【発明が解決しようとする課題】
【０００４】
本発明は、従来のコネクタと比較して、汎用性の高いコネクタを提供することを目的とする。
【課題を解決するための手段】
【０００５】
本発明によれば、第１のコネクタとして、
ランプ接続部を有し第１方向に延びるランプを保持するコネクタであって、
ハウジングと、
前記ランプ接続部と接続するランプ用接続部、前記第１方向に直交する第２方向に沿って該ハウジングに圧入される被圧入部、前記第２方向において該被圧入部を挟んで前記ランプ用接続部の反対側に設けられた第１接点部及び第２接点部であって前記第２方向において互いに異なる位置に位置している第１接点部及び第２接点部を有する端子と
を備えるコネクタが得られる。
【０００６】
また、本発明によれば、第２のコネクタとして、第１のコネクタにおいて、
前記第１接点部及び前記第２接点部は、基板に形成された接続部と選択的に接続する基板用接続部であり、
前記ハウジングは、前記第１接点部又は前記第２接点部と前記基板の前記接続部との選択的接続に際して前記基板の前記接続部をガイドするガイド部を有している
コネクタが得られる。
【０００７】
また、本発明によれば、第３のコネクタとして、第２のコネクタにおいて、
前記ガイド部は、前記第１方向に沿って前記基板の前記接続部を挿入可能な挿入部であって、前記第１接点部と前記第２接点部に対して夫々独立して設けられた挿入部である
コネクタが得られる。
【０００８】
また、本発明によれば、第４のコネクタとして、第１乃至第３のコネクタのいずれかにおいて、
前記端子は、前記被圧入部から互いに別々に延びる第１バネ部及び第２バネ部を備えており、
前記第１接点部及び前記第２接点部は、夫々、前記第１バネ部及び前記第２バネ部に設けられている
コネクタが得られる。
【０００９】
また、本発明によれば、第５のコネクタとして、第１乃至第３のコネクタのいずれかにおいて、
前記端子は、前記被圧入部から延びる共通バネ部と２つの接触バネ部とを備えており、
前記共通バネ部は、前記第１方向及び前記第２方向の双方に直交する第３方向から見た場合に、略Ｖ字又は略Ｌ字形状を有しており、
前記接触バネ部は、該共通バネ部の先端から別々に延びており、
前記第１接点部及び前記第２接点部は、前記接触バネ部に設けられている
コネクタが得られる。
【００１０】
また、本発明によれば、第６のコネクタとして、第５のコネクタにおいて、
前記接触バネ部は、前記第３方向から見た場合に、略Ｃ字形状を有している
コネクタが得られる。
【００１１】
また、本発明によれば、第７のコネクタとして、第１乃至第６のコネクタのいずれかにおいて、
前記ランプ用接続部は、前記第１方向及び前記第２方向の双方に直交する第３方向において前記ランプ接続部を挟持する弾性片にて構成されており、前記ランプを保持し得るものである
コネクタが得られる。
【００１２】
また、本発明によれば、第８のコネクタとして、第７のコネクタにおいて、
前記ランプ用接続部は、前記ランプ接続部に対して少なくとも３点で接している
コネクタが得られる。
【００１３】
また、本発明によれば、第９のコネクタとして、第７又は第８のコネクタにおいて、
前記ハウジングは、前記ランプ用接続部を収容するランプ用接続部収容部と、前記第３方向に沿って該ランプ用接続部収容部内に向かって突出してなる誤挿入防止部とを備えている
コネクタが得られる。
【００１４】
また、本発明によれば、第１０のコネクタとして、第９のコネクタにおいて、
前記誤挿入防止部は、前記第３方向に突出した突条であって、前記第１方向においては前記ランプ用接続部と異なる位置に位置している
コネクタが得られる。
【００１５】
また、本発明によれば、第１１のコネクタとして、第１０のコネクタにおいて、
前記誤挿入防止部は、前記第２方向において、前記ランプ用接続部と同じ位置又は前記ランプ用接続部の外側に位置しており、
前記第３方向における前記誤挿入防止部と前記ランプ用接続部の先端との距離は、前記ランプの半径よりも小さい
コネクタが得られる。
【００１６】
また、本発明によれば、第１２のコネクタとして、第７乃至第１１のコネクタのいずれかにおいて、
前記端子は、前記被圧入部から延びる主部と、該主部の前記第３方向における両端から前記第１方向に延びる腕部とを更に備えており、
前記ランプ用接続部は、前記第３方向に沿って見た場合に前記腕部と共に略Ｌ字形状を構成するように、前記腕部の端部から延びており、
前記腕部の前記第１方向における先端の隅部は、Ｒ形状を有している
コネクタが得られる。
【００１７】
また、本発明によれば、第１３のコネクタとして、第１２のコネクタにおいて、
前記腕部のうち前記ランプ用接続部の起点となる部分の前記主部よりの部位にはＲ状凹部が形成されている
コネクタが得られる。
【００１８】
また、本発明によれば、第１４のコネクタとして、第１乃至第１３のコネクタのいずれかにおいて、
前記被圧入部の隅部は、Ｒ形状を有している
コネクタが得られる。
【００１９】
また、本発明によれば、第１５のコネクタとして、第１乃至第１４のコネクタのいずれかにおいて、
当該コネクタは、板金に形成された開口部に対して前記第２方向に沿って挿入されることにより、前記板金に保持されて用いられるものであり、
前記ハウジングには、前記コネクタが前記板金から抜けることを防止する弾性部が設けられている
コネクタが得られる。
【００２０】
また、本発明によれば、第１６のコネクタとして、第１５のコネクタにおいて、
当該コネクタが前記板金に保持された状態において、前記ランプ用接続部と前記第１接点部及び前記第２接点部とは、前記第２方向において前記板金を挟んで位置しており、
前記弾性部は、前記板金に挿入された状態において、前記板金の前記ランプ用接続部側ではなく前記第１接点部及び前記第２接点部側にのみ位置している
コネクタが得られる。
【００２１】
また、本発明によれば、第１７のコネクタとして、第１６のコネクタにおいて、
前記弾性部は、前記第１方向及び前記第２方向の双方に直交する第３方向に撓むことのできるように、前記ハウジングの前記第２方向の端部から延びている
コネクタが得られる。
【００２２】
また、本発明によれば、第１８のコネクタとして、第１６のコネクタにおいて、
前記弾性部は、前記第１方向及び前記第２方向の双方に直交する第３方向に撓むことのできるように、前記第１方向に沿って延びている
コネクタが得られる。
【００２３】
更に、本発明によれば、第１乃至第１８のコネクタのいずれかと、
前記ランプ用接続部に接続される前記ランプ接続部を有するランプと、
前記第１接点部又は前記第２接点部のいずれかと接続される部位を有する基板と
を備えるバックライト組立体が得られる。
【００２４】
更に、本発明によれば、
ランプ接続部を有するランプを第１方向に延びた状態で保持するコネクタであって、板金に取り付けられて用いられるコネクタにおいて、
前記ランプ接続部と接続するランプ用接続部を有する端子と、該端子を保持するハウジングとを備えており、
前記ハウジングには、前記コネクタが前記板金に取り付けられた際に前記コネクタが前記板金から外れることを防止する当接部を有する弾性部が設けられている
コネクタが得られる。
【００２５】
更に、本発明によれば、上記コネクタにおいて、
前記弾性部の起点と前記当接部とは、前記コネクタが前記板金に取り付けられた状態において、前記板金から見て同じ側に位置している
コネクタが得られる。
【発明の効果】
【００２６】
本発明によれば、選択的に接続可能な複数の接点を高さ方向に位置を変えて設けたことから、１種類のコネクタにより、例えば、コネクタの設けられる板金から基板までの高さとして要求されている値が異なるような複数の基板に対応することができる。
【図面の簡単な説明】
【００２７】
【図１】本発明の第１の実施の形態によるコネクを示す斜視図である。ここで、コネクタにはランプが取り付けられている。
【図２】図１のコネクタのハウジングを示す斜視図である。
【図３】図１のコネクタの端子を示す斜視図である。
【図４】図３の端子のみによりランプが保持された状態を示す斜視図である。
【図５】バックライトユニットの組立工程を示す図である。
【図６】図３の端子の変形例を示す図である。
【図７】本発明の第２の実施の形態によるコネクを示す正面図である。
【図８】図７のコネクタのハウジングを示す斜視図である。
【図９】図７のコネクタの端子を示す斜視図である。
【図１０】図７のコネクタを板金に取り付ける工程を示す斜視図である。
【図１１】図７のコネクタを板金に取り付ける工程を示す正面図である。
【図１２】図７のコネクタを板金に取り付ける他の工程を示す正面図である。
【図１３】本発明の第３の実施の形態によるコネクを示す正面図である。
【図１４】図１３のコネクタを示す側面図である。
【図１５】図１３のコネクタを板金に取り付ける工程を示す正面図である。
【図１６】図１３のコネクタを板金に取り付ける他の工程を示す正面図である。
【図１７】図１３のコネクタを板金に取り付ける他の工程を示す正面図である。
【発明を実施するための形態】
【００２８】
（第１の実施の形態）
図１乃至図３に示されるように、本発明の第１の実施の形態によるコネクタ１００は、液晶パネルのバックライトユニットにおいてランプ接続部（口金又は金属メッキ）４１０を有するランプ４００を基板に接続するためのものであり、絶縁性樹脂からなるハウジング２００と、ハウジング２００に保持された端子３００とを備えている。なお、本実施の形態におけるランプ４００は、ＣＣＦＬである。
【００２９】
端子３００は、ランプ４００をＹ方向（第１方向）に延びた状態で保持するものであり、一枚の金属母材板から形成されている。端子３００は、図３に示されるように、ランプ４００のランプ接続部４１０と接続するランプ用接続部３１０と、Ｚ方向（第２方向）に沿ってハウジング２００に圧入され保持される被圧入部３２０と、被圧入部３２０から互いに別々に延びる第１バネ部３３０及び第２バネ部３４０と、Ｘ方向（第３方向）外側に向けて突出した変位防止部３５０とを備えている。
【００３０】
具体的には、本実施の形態による端子３００は、ＸＺ面に平行な主部３０２と、そのＸ方向の両端からＹ方向に沿って延びる腕部３０４とを備えており、ランプ用接続部３１０は、各腕部３０４の端部からＺ方向に延び且つＸ方向においてランプ４００のランプ接続部４１０を挟持する２つの弾性片にて構成されている。即ち、腕部３０４とランプ用接続部３１０とは、Ｘ方向に沿って見た場合に略Ｌ字形状のバネを構成している。詳しくは、ランプ用接続部３１０の先端はランプ４００のガイドのためＸ方向外側に若干広がっており、ランプ用接続部３１０はＹ方向に沿って見た場合に花瓶のような形状を有している。本実施の形態による端子３００は、図４に示されるように、単独でランプ４００を保持し得るものである。特に、ランプ用接続部３１０は、ランプ４００のランプ接続部４１０に対して少なくとも３点で接するように、構成されている。
【００３１】
被圧入部３２０は、主部３０２からＺ方向に沿って延びている。この被圧入部３２０は、Ｘ方向の両端に突起が形成されており、ハウジング２００に圧入されると引き抜きにくい形状を有している。また、被圧入部３２０の下側の角は、ハウジング２００への組み込みを容易にするため、面取りされている。端子３００をハウジング２００に組み込むときには、被圧入部３２０の肩部（上側のエッジであって上側の角近傍の部分）を下向きに押す。
【００３２】
第１バネ部３３０及び第２バネ部３４０は、いずれもＺ方向において被圧入部３２０を挟んでランプ接続部３１０の反対側に延びており、夫々、第１接点部３３２及び第２接点部３４２を有している。第１接点部３３２と第２接点部３４２とは、Ｚ方向において互いに異なる位置に位置している。即ち、第１接点部３３２と第２接点部３４２のランプ用接続部３１０からの距離は互いに異なっている。これら第１接点部３３２及び第２接点部３４２は、図５に示されるように、基板５００に形成された接続部５２０と選択的に接続する基板用接続部である。
【００３３】
図示された第１バネ部３３０は、山状に折り曲げられ、その頂部を第１接点部３３２としており、一方、第２バネ部３４０は、谷状に折り曲げられ、その底部を第２接点部３４２としている。これにより、第１接点部３３２は接続部５２０が下面に形成された基板５００に対応可能であり、第２接点部３４２は接続部５２０が上面に形成された基板５００に対応可能である。但し、本発明は、これに限られず、対応させる基板５００や接続形態によって、第１バネ部３３０を谷状に折り曲げて、その底部を第１接点部３３２としたり、第２バネ部３４０を山状に折り曲げて、その頂部を第２接点部３４２としたりしてもよい。また、図６に示されるように端子３００ａを変形しても良い。図６に示される端子３００ａでは、母材に細長いＵ字状の切れ込みを入れ、切れ込みの内側を山状に折り曲げて頂部に第１接点部３３２ａを有する第１バネ部３３０ａを形成し、切れ込みの外側を谷状に折り曲げて底部に第２接点部３４２ａを有する第２バネ部３４０ａを形成している。この場合にも、対応する基板等に応じて、第１バネ部３３０ａ及び第２バネ部３４０ａの折り曲げ方を変更することができる。
【００３４】
更に、本実施の形態においては、バネ部を２本設けて、第１接点部３３２と第２接点部３４２を別のバネ部に形成することとしているが、バネ部を１本のみとし、例えばそのバネ部をＸ方向に沿って見た場合にＳ字形状を有するようにして、１本のバネ部上に第１接点部３３２と第２接点部３４２の双方を形成することとしてもよい。但し、金属母材板をできるだけ無駄なく使用するという観点から、本実施の形態による端子３００のように接点部ごとにバネ部を設けることが好ましい。
【００３５】
変位防止部３５０は、ランプ４００を煽るような力が加えられた場合に、端子３００がＹ方向に変位することを防止するためのものである。
【００３６】
図２に示されるように、ハウジング２００は、第１収容部２１０及び第２収容部２２０を備えている。第１収容部２１０は、ランプ用接続部３１０を収容するランプ用接続部収容部であり、第２収容部２２０は、第１バネ部３３０及び第２バネ部３４０を収容するバネ部収容部である。図１乃至図３から理解されるように、端子３００の被圧入部３２０は、第１収容部２１０と第２収容部２２０の間において、ハウジング２００に保持される。
【００３７】
図２に示されるように、第１収容部２１０の前壁２１２には、Ｚ方向に凹んだ凹部２１４が形成されている。この凹部２１４は、図１及び図２から理解されるように、ランプ４００を端子３００のランプ用接続部３１０にて保持したときに、ランプ４００に接しないように設計されている。本実施の形態においては、上述したように、端子３００のみにてランプ４００を保持することができるため、ハウジング２００でランプ４００を受ける必要がない。このような構成とすることにより、ランプ４００の熱によるハウジングの変形・変色を低減することができる。なお、本実施の形態における凹部２１４の上端の角部２１６は、ランプ４００の取付時におけるランプ４００を端子３００に挿入しやすくするため、面取りされている。
【００３８】
本実施の形態によるハウジング２００には、Ｘ方向に沿って第１収容部２１０内に向かって突出してなる誤挿入防止部２３０が形成されている。図示された誤挿入防止部２３０は、Ｘ方向に突出した突条であって、Ｙ方向においてランプ用接続部３１０と異なる位置に位置している。図１及び図２から理解されるように、この誤挿入防止部２３０の上端は、ランプ用接続部３１０の先端よりも高い位置に位置している。即ち、誤挿入防止部２３０の端部は、Ｚ方向において、ランプ用接続部３１０の外側に位置している。誤挿入防止部２３０は、Ｚ方向においてランプ用接続部３１０と同じ位置に位置していてもよい。また、本実施の形態による誤挿入防止部２３０は、Ｘ方向における誤挿入防止部２３０とランプ用接続部３１０の先端との距離がランプ４００の半径よりも小さくなるように、配置されている。誤挿入防止部２３０をかかる形状・配置としたことにより、ランプ４００の取付時に、ランプ４００がＸ方向において位置ずれして挿入された場合でもランプ接続部４１０が一対のランプ用接続部３１０間の方に移動して、ランプ接続部４１０が一対のランプ用接続部３１０間に挿入されるので、ランプ４００が端子３００とハウジング２００との間に誤って挿入されてしまうことを防ぐことができる。また、ランプ４００がＹ方向において位置ずれして挿入された際には、ランプ接続部４１０が誤挿入防止部２３０に当接してＹ方向への位置ずれが規制され、ランプ４００のランプ接続部４１０と端子３００のランプ用接続部３１０の接触位置を合わせ、確実に接触させる役割も果たす。
【００３９】
図２に示されるように、ハウジング２００の前端には、Ｙ方向においてハウジング２００の外部と第２収容部２２０とを連通する挿入部２４０，２５０が形成されている。挿入部２４０，２５０は、Ｙ方向から見た場合に、略長方形形状の開口部を有しており、Ｙ方向に沿って基板５００のエッジを挿入可能なものである（図５参照）。本実施の形態における挿入部２４０，２５０は、第１接点部３３２と第２接点部３４２に対して夫々独立して設けられており、第１接点部３３２又は第２接点部３４２と基板５００の接続部５２０との選択的接続に際して基板５００の接続部５２０をガイドするガイド部として機能する。詳しくは、本実施の形態における挿入部２４０，２５０は、基板５００のエッジを挿入しやすくするため、開口部の縁を面取りしてある。本実施の形態においては、ガイド機能を高めて第１バネ部３３０や第２バネ部３４０の座屈を防止するため、挿入部２４０，２５０に略長方形形状の開口部を設けているが、例えば、挿入部２４０，２５０をＺ方向において連結し、Ｙ方向に沿って見た場合にエ字形状（Ｈを横にした形状）の開口部を設けることとしても良い
【００４０】
ハウジング２００の外周であって、第１収容部２１０と第２収容部２２０との間に位置する部分には、フランジ２６０が形成されている。このフランジ２６０は、図５に示されるように、Ｚ方向に沿って液晶パネルの板金６００に形成された開口部６１０内にコネクタ１００を挿入する際に、コネクタ１００のＺ方向における位置決めをするためのものである。
【００４１】
本実施の形態におけるフランジ２６０は、特に前方（Ｙ方向）に張り出した形状を有している。これは、実装時におけるランプ４００のランプ接続部４１０から板金６００までの空間距離及び沿面距離を確保してランプ接続部４１０から板金６００への放電を防止するためである。即ち、本実施の形態におけるフランジ２６０は、放電防止手段としても機能する。
【００４２】
本実施の形態におけるハウジング２００の側部には、Ｘ方向に突出したストッパ部２７０が形成されており、コネクタ１００を板金６００に取り付けた後においてコネクタ１００が板金６００から抜けることが防止されている。
【００４３】
以下、上述したコネクタ１００のバックライトユニットへの組み込みについて図５を用いて簡単に説明する。
【００４４】
まず、図５（ａ）に示されるように、コネクタ１００を板金６００の開口部６１０内に挿入する。図５（ｂ）に示されるように、フランジ２６０が板金６００に当接するまで、コネクタ１００を開口部６１０内に挿入すると、ストッパ部２７０が板金６００の下側に位置することになる。即ち、板金６００は、Ｚ方向において、フランジ２６０とストッパ部２７０より挟まれる。このようにして、コネクタ１００が板金６００に固定される。
【００４５】
次に、図５（ｂ）に示されるように、ランプ４００をコネクタ１００に取り付ける。この際、上述したように、ランプ４００は、端子３００のみによって保持されており、ハウジング２００には接していない。従って、ランプ４００の熱によるハウジング２００の変形等の問題が低減される。
【００４６】
次いで、図５（ｃ）に示されるように、支持カバー７００をコネクタ１００の上部に設置する。これは、衝撃などによりランプ４００がコネクタ１００から飛び出してしまうことを防止するためのものである。
【００４７】
その後、図５（ｄ）に示されるように、基板５００に形成された接続部５２０をＹ方向に沿って第２挿入部２５０に挿入して、基板５００とコネクタ１００との接続を図る。図示された例においては、接続部５２０が基板５００の上面に形成されており、基板５００を板金６００から離して配置させたいため、下側の第２挿入部２５０に基板５００の接続部５２０を挿入しているが、基板５００の配置仕様等に応じて上側の第１挿入部２４０に基板５００を挿入することもできる。即ち、本実施の形態によるコネクタ１００では、基板５００の接続位置に関し、基板５００の上下両面のどちらの面でも接続が可能であり、汎用性が高められている。
【００４８】
上述した実施の形態においては、第１接点部３３２及び第２接点部３４２並びに２つの挿入部２４０，２５０を有するコネクタ１００について説明してきたが、本発明はこれに限定されるものではなく、３つ以上の接点部及び３つ以上の挿入部を有していても良い。
【００４９】
（第２の実施の形態）
図７乃至図１０に示されるように、本発明の第２の実施の形態によるコネクタ１００ｂは、ハウジング２００ｂと、ハウジング２００ｂに保持された端子３００ｂとを備えている。本実施の形態におけるコネクタ１００ｂは、上述した第１の実施の形態によるコネクタ１００と比較して、ハウジング２００ｂと端子３００ｂとの夫々に変形を加えたものである。以下においては、コネクタ１００との差異について特に重点をおいて説明する。
【００５０】
図７及び図８に示されるように、ハウジング２００ｂは、第１の実施の形態によるハウジング２００の構成要素に加えて、第１収容部２１０に設けられた移動規制部２１８と、コネクタ１００ｂの板金６００からの抜け落ち防止の役割を担う弾性部２８０とを備えている。
【００５１】
移動規制部２１８は、Ｚ方向に沿って見た場合にＸ方向に凹んだ部位であり、その凹んだ部位のＹ方向における長さは、端子３００ｂのランプ用接続部３１０の幅（Ｙ方向における長さ）と実質的に同じである。そのため、端子３００ｂをハウジング２００ｂに組み込んだ状態において、移動規制部２１８は、ランプ用接続部３１０のＹ方向における移動を規制することができる。
【００５２】
本実施の形態における弾性部２８０は、Ｘ方向に撓むことのできるように、ハウジング２００ｂの下端近傍（即ち、第２挿入部２５０の側部２５２）からＺ方向に延びるようにして設けられたものであり、大きなバネ長を有している。図１０乃至図１２から理解されるように、弾性部２８０の端部はコネクタ１００ｂを板金６００に取り付けた際に板金６００に当接して板金６００からコネクタ１００ｂが抜け落ちることを防止する当接部２８２として機能する。なお、当接部２８２は、コネクタ１００ｂの板金６００からの抜け落ちを防止できればよいことから、コネクタ１００ｂが板金６００に取り付けられた状態において必ずしも板金６００に当接していなければならないわけではない。例えば、コネクタ１００ｂが板金６００に取り付けられた状態において、当接部２８２は、板金６００と若干のギャップをもった状態で配置されていてもよい。
【００５３】
かかる弾性部２８０によれば、第１の実施の形態によるコネクタ１００のストッパ部２７０と比較して、コネクタ１００ｂを板金６００に対して繰り返して脱着可能となる。また、本実施の形態による弾性部２８０は、大きなバネ長を有していることから柔軟性に富んでおり、従って、板金６００に取り付ける際に、板金６００の開口部６１０の縁によって削れてしまうことがない。更に、本実施の形態における弾性部２８０においては、コネクタ１００ｂを板金６００に取り付けた際に、その起点（即ち、本実施の形態においては側部２５２）とその端部である当接部２８２とが板金６００から見て同じ側に位置している。かかる構成も、板金６００の開口部６１０の縁による弾性部２８０の削れ防止に寄与している。
【００５４】
更に、本実施の形態による端子３００ｂは、図９に示されるように、第１の実施の形態による端子３００と比較して、１）コネクタ１００ｂを板金６００に取り付けた際における板金６００への放電防止、２）第１接点部３３２ｂ及び第２接点部３４２ｂの接続対象物（基板５００など）に対する接圧の増加、及び、３）ランプ保持時においてランプ用接続部３１０へ加わる応力の緩和を目的とした変更が加えられたものである。
【００５５】
上述した３つの目的のうち、１）の目的に関しては、コネクタ１００ｂを板金６００に取り付けた際に、板金６００に近い位置に電界が集中する可能性のある部位を排除している。具体的には、腕部３０４の先端の隅部３０６を丸め（隅部３０６をＲ形状とし）、それによって隅部３０６への電界集中を防ぎ、同様に、被圧入部３２０の隅部３２２も丸め（隅部３２２をＲ形状とし）、それによって隅部３２２への電界集中を防ぐこととしてある。また、上述したように、ハウジング２００ｂに移動規制部２１８を設けたことにより、第１の実施の形態における変位防止部３５０を省略することとし、それによっても放電の可能性を低めてある。
【００５６】
２）の目的に関しては、第１接点部３３２ｂ及び第２接点部３４２ｂを被圧入部３２０から直接分岐して延びるバネ部に設けるのではなく、大きな接圧を得られるようバネ幅の大きい共通バネ部３６０を介在させ、更に、その共通バネ部３６０から延びる２つの接触バネ部３６２を設け、その接触バネ部３６２に第１接点部３３２ｂ及び第２接点部３４２ｂを設けることとしている。より具体的には、共通バネ部３６０は、単一のバネ部であり、Ｘ方向に沿って見た場合に略Ｖ字又は略Ｌ字状となるように、被圧入部３２０から延びているものであり、２つの接触バネ部３６２は、Ｘ方向に沿って見た場合に略Ｃ字状となるように、共通バネ部３６０の先端から延びているものである。かかる構成とすると、第１の実施の形態によるコネクタ１００の場合と比較して、基板５００に対して大きな接圧をもって第１接点部３３２ｂ及び第２接点部３４２ｂを接触させることができる。
【００５７】
３）の目的に関しては、腕部３０４に対して応力緩和用のＲ状凹部３０８を形成してある。より具体的には、Ｒ状凹部３０８は、丸みを帯びるように凹んだ部位であり、腕部３０４のうちランプ用接続部３１０の起点となる部分の主部３０４よりの箇所、即ち、Ｘ方向に沿って腕部３０４及びランプ用接続部３１０を見た場合にＬ字状の部位の内角となる部位の主部３０４よりの箇所に形成されている。これにより、ランプ用接続部３１０に係る応力を腕部３０４により吸収することができる。
【００５８】
（第３の実施の形態）
図１３及び図１４に示されるように、本発明の第３の実施の形態によるコネクタ１００ｃは、ハウジング２００ｃと、端子３００ｃとを備えている。ここで、本実施の形態によるコネクタ１００ｃは、上述した第２の実施の形態によるコネクタ１００ｂの変形例であり、端子３００ｃは上述した端子３００ｂと同じ構造を有するものである。以下においては、第２の実施の形態によるハウジング２００ｂとハウジング２００ｃとの差異に重点をおいて説明することとする。
【００５９】
上述した第２の実施の形態によるハウジング２００ｂの弾性部２８０は主としてＺ方向に延びていたが、本実施の形態によるハウジング２００ｃには、Ｙ方向に延びる弾性部２９０が設けられている。この弾性部２９０は、Ｙ方向の先端である一端側に当接部２９２を有しており、図１５乃至図１７から理解されるように、Ｙ方向の他端側を支点として当接部２９２がＸ方向に変位し得るように（即ち、Ｘ方向に撓むことのできるように）構成されている。
【００６０】
かかる構成を有する弾性部２９０の場合にも、ハウジング２００ｃのＹ方向における長さを利用して大きなバネ長に起因した高い柔軟性を得ることができることから、第２の実施の形態による２８０の場合と同様に板金６００によって削れるといった問題を回避しつつ、コネクタ１００ｃを板金６００に対して繰り返し脱着することができる。
【符号の説明】
【００６１】
１００，１００ｂ，１００ｃ        コネクタ
２００，２００ｂ，２００ｃ        ハウジング
２１０        第１収容部
２１２        前壁
２１４        凹部
２１６        角部
２１８        移動規制部
２２０        第２収容部
２３０        誤挿入防止部
２４０        第１挿入部（挿入部）
２５０        第２挿入部（挿入部）
２５２        側部
２６０        フランジ
２７０        ストッパ部
２８０        弾性部
２８２        当接部
２９０        弾性部
２９２        当接部
３００，３００ａ、３００ｂ，３００ｃ        端子
３０２        主部
３０４        腕部
３０６        隅部
３０８        Ｒ状凹部
３１０        ランプ用接続部
３２０        被圧入部
３２２        隅部
３３０        第１バネ部
３３２，３３２ａ，３３２ｂ        第１接点部
３４０        第２バネ部
３４２，３４２ａ，３４２ｂ        第２接点部
３５０        変位防止部
３６０        共通バネ部
３６２        接触バネ部
４００        ランプ
４１０        ランプ接続部
５００        基板
５２０        接続部
６００        板金
６１０        開口部
７００        支持カバー
【図１】
2010034028.tif 000003
【図２】
2010034028.tif 000004
【図３】
2010034028.tif 000005
【図４】
2010034028.tif 000006
【図５】
2010034028.tif 000007
【図６】
2010034028.tif 000008
【図７】
2010034028.tif 000009
【図８】
2010034028.tif 000010
【図９】
2010034028.tif 000011
【図１０】
2010034028.tif 000012
【図１１】
2010034028.tif 000013
【図１２】
2010034028.tif 000014
【図１３】
2010034028.tif 000015
【図１４】
2010034028.tif 000016
【図１５】
2010034028.tif 000017
【図１６】
2010034028.tif 000018
【図１７】
2010034028.tif 000019